(57)【要約】【課題】スラットの重量をさほど増やすことなく、外部の騒音が内部に響くのを効果的に抑えることができるブラインドを提供する。【解決手段】ブラインドを構成するスラット１を、遮音性および遮光性を有する第１層部５と、この第１層部５に設けられ、透光性および吸音性を有する第２層部６とを備えたものとし、この第２層部６が、その表面の一部から突出し、かつ前記スラット１の長手方向に延在する突出部７を有する構成とすることによって、外部の騒音が内部に響くのを効果的に抑えることができ、また、突出部７は第２層部６の表面の一部から突出するものであるので、第２層部全体が厚くなることがなく、スラット１の重量がさほど増えることがない。【選択図】図１
2010265617.tif 000002
【特許請求の範囲】
【請求項１】
複数のスラットを並設してなるブラインドにおいて、
前記スラットは、遮音性および遮光性を有する第１層部と、
この第１層部に設けられ、透光性および吸音性を有する第２層部とを備え、
この第２層部は、その表面から突出し、かつ前記スラットの長手方向に延在する突出部を有していることを特徴とするブラインド。 
【請求項２】
請求項１に記載のブラインドにおいて、
前記突出部は、断面三角形状に形成されていることを特徴とするブラインド。 
【請求項３】
請求項１または２に記載のブラインドにおいて、
前記複数のスラットは、隣り合う前記スラットどうしが重なっていない採光状態において、前記一方のスラットの前記突出部が、前記他方のスラットの前記第１層部に当接する当接位置と、前記一方のスラットの前記突出部が、前記他方のスラットの前記第１層部から離間している離間位置とのいずれか一方を選択可能に設けられていることを特徴とするブラインド。 
【請求項４】
請求項２または３に記載のブラインドにおいて、
前記第２層部は、断面矩形状に形成された第２層部本体と、断面視において前記第２層部本体の長手方向に沿う第１辺部から三角形状に突出する前記突出部とを備え、
前記第１層部は、断面視において前記第２層部本体の長手方向に沿う第２辺部に沿って形成された長片部と、前記第２辺部と直交する短手方向に沿う第３辺部に沿って形成された短片部とからなる断面Ｌ型に形成されていることを特徴とするブラインド。 
【請求項５】
請求項４に記載のブラインドにおいて、
前記突出部は、断面視において、直角三角形状に形成されており、
断面視において、前記突出部の互いに直角に交わる一方の辺部が、前記第２層部本体の短手方向に沿う第４辺部の延長線に沿って配置され、他方の辺部が、前記第２層部本体の前記第１辺部上に配置されており、
隣り合う前記スラットどうしが重なっている遮光状態において、
隣り合う前記スラットのうち、一方のスラットの第１層部の長片部の一部が、他方のスラットの第２層部本体の第１辺部に重なっていることを特徴とするブラインド。
【発明の詳細な説明】
【技術分野】
【０００１】
本発明は、吸音性を有するブラインドに関する。
【背景技術】
【０００２】
吸音性を有するブラインドの一例として特許文献１に記載のものが知られている。この吸音ブラインドは、複数のスラットが適宜間隔をもって重ね合わされて設けられ、これらスラットの上面に吸音材が取り付けられてなるものである。この吸音材はグラスウールが多孔板で被覆されて、約１０ｍｍ厚に形成されてなるものである。
【先行技術文献】
【特許文献】
【０００３】
【特許文献１】特開弊１０−２６６７３４号公報
【発明の概要】
【発明が解決しようとする課題】
【０００４】
ところで、上記従来のブラインドでは、その吸音材を外部側に向けて窓等に取り付けることによって、外部からの騒音の一部を吸音材によって吸音できるので、外部の騒音が内部に響くのを抑えることができる。このような従来のブラインドでは、吸音材を厚くすればするほど、吸音力が高くなるので、騒音が内部（室内）に響くのをより効果的に抑えることができる。
しかし、吸音材を厚くすると、その分、ブラインドを構成するスラットの重量が増えて、ブラインドの全体重量が増えるので、ブラインドとして好ましくない。
【０００５】
本発明は上記事情に鑑みてなされたもので、スラットの重量をさほど増やすことなく、外部の騒音が内部に響くのを効果的に抑えることができるブラインドを提供することを課題としている。
【課題を解決するための手段】
【０００６】
上記課題を解決するために、請求項１に記載の発明は、例えば図１〜図４に示すように、複数のスラット１・・・を並設してなるブラインドにおいて、
前記スラット１は、遮音性および遮光性を有する第１層部５と、
この第１層部５に設けられ、透光性および吸音性を有する第２層部６とを備え、
この第２層部６は、その表面の一部から突出し、かつ前記スラット１の長手方向に延在する突出部７を有していることを特徴とする。
【０００７】
請求項１に記載の発明によれば、スラット１の第２層部６が、その表面から突出し、かつスラット１の長手方向に延在する突出部７を有しているので、外部からの騒音の一部は第２層部６によって吸音されるとともに、突出部７によって拡散されたうえで、さらに、第２層部６や隣り合うスラット１の突出部７を含む第２層部６に吸音される。また、第２層部６によって吸音しきれなかった騒音の一部は、第１層部５で遮音される。したがって、外部の騒音が内部に響くのを効果的に抑えることができる。
また、突出部７は第２層部６の表面の一部から突出するものであるので、第２層部全体が厚くなることがない。したがって、スラット１の重量がさほど増えることがない。
【０００８】
請求項２に記載の発明は、請求項１に記載のブラインドにおいて、
前記突出部７は、断面三角形状に形成されていることを特徴とする。
【０００９】
請求項２に記載の発明によれば、突出部７が断面三角形状に形成されているので、この突出部７の表面は交差する二つの表面によって構成される。したがって、第２層部６の表面積が大きくなるので、その分、吸音力が高くなるとともに、騒音が二つの表面によって異なる方向に拡散する。したがって、外部の騒音が内部に響くのをより効果的に抑えることができる。
【００１０】
請求項３に記載の発明は、請求項１または２に記載のブラインドにおいて、
前記複数のスラット１・・・は、隣り合う前記スラット１，１どうしが重なっていない採光状態において、前記一方のスラット１の前記突出部７が、前記他方のスラット１の前記第１層部５に当接する当接位置と、前記一方のスラット１の前記突出部７が、前記他方のスラット１の前記第１層部５から離間している離間位置とのいずれか一方を選択可能に設けられていることを特徴とする。
【００１１】
請求項３に記載の発明によれば、隣り合う前記スラット１，１どうしが重なっていない採光状態において、前記一方のスラット１の前記突出部７が、前記他方のスラット１の前記第１層部５に当接する当接位置にある場合、隣り合うスラット１，１間からの通風を防止できるとともに、突出部７を有する第２層部６は透光性を有しているので、外部からの光が第２層部６を透過して内部に採光できる。また、前記一方のスラット１の前記突出部７が、前記他方のスラット１の前記第１層部５から離間している離間位置にある場合、隣り合うスラット１，１間の隙間から通風をとることができるとともに、外部からの光がこの隙間、第２層部６を透過して内部に採光できる。
【００１２】
請求項４に記載の発明は、請求項２または３に記載のブラインドにおいて、
前記第２層部６は、断面矩形状に形成された第２層部本体８と、断面視において前記第２層部本体８の長手方向に沿う第１辺部８ａから三角形状に突出する前記突出部７とを備え、
前記第１層部５は、断面視において前記第２層部本体８の長手方向に沿う第２辺部８ｂに沿って形成された長片部５ａと、前記第２辺部８ｂと直交する短手方向に沿う第３辺部８ｃに沿って形成された短片部５ｂとからなる断面Ｌ型に形成されていることを特徴とする。
【００１３】
請求項４に記載の発明によれば、隣り合うスラット１，１のうち、一方のスラット１を構成する第２層部本体８の第２辺部８ｂに沿って形成された第１層部５の長片部５ａを、他方のスラット１を構成する第２層部本体８に重ねることによって、ブラインドを容易に遮光状態とすることができる。
また、一方のスラット１を構成する第２層部本体８の第２辺部８ｂに沿って形成された第１層部５の長片部５ａと、他方のスラット１を構成する第２層部本体８とを離すことによって、ブラインドを容易に採光状態とすることができる。
また、前記遮光状態にすると、ブラインドの一方の面側に、断面三角形状の突出部７が所定間隔または連続して並設され、他方の面側に、断面Ｌ型の第１層部５の角部が連続して並設される。したがって、ブラインドの両面において、音を拡散させることができる。
【００１４】
請求項５に記載の発明は、請求項４に記載のブラインドにおいて、
前記突出部７は、断面視において、直角三角形状に形成されており、
断面視において、前記突出部７の互いに直角に交わる一方の辺部７ａが、前記第２層部本体８の短手方向に沿う第４辺部８ｄの延長線に沿って配置され、他方の辺部７ｂが、前記第２層部本体８の前記第１辺部８ａ上に配置されており、
隣り合う前記スラット１，１どうしが重なっている遮光状態において、
隣り合う前記スラット１，１のうち、一方のスラット１の第１層部５の長片部５ａの一部が、他方のスラット１の第２層部本体８の第１辺部８ａに重なっていることを特徴とする。
【００１５】
請求項５に記載の発明によれば、隣り合う前記スラット１，１どうしが重なっている遮光状態において、隣り合う前記スラット１，１のうち、一方のスラット１の第１層部５の長片部５ａの一部が、他方のスラット１の第２層部本体８の第１辺部８ａに重なっているので、一方のスラット１の第１層部５と他方のスラットの第２層部6とを容易に隙間なく重ねることができる。また、ブラインドの一方の面側に、断面三角形状の突出部7が連続して並設されるので、音を効果的に拡散させることができる。
【発明の効果】
【００１６】
本発明によれば、複数のスラットを並設してなるブラインドの、スラットが、遮音性および遮光性を有する第１層部と、この第１層部に設けられ、透光性および吸音性を有する第２層部とを備え、この第２層部は、その表面の一部から突出し、かつ前記スラットの長手方向に延在する突出部を有しているので、外部からの騒音の一部は第２層部によって吸音されるとともに、突出部によって拡散されたうえで、さらに、第２層部に吸音される。  また、第２層部によって吸音しきれなかった騒音の一部は、第１層部で遮音される。したがって、外部の騒音が内部に響くのを効果的に抑えることができる。
また、突出部は第２層部の表面の一部から突出するものであるので、第２層部全体が厚くなることがない。したがって、スラットの重量がさほど増えることがない。
【図面の簡単な説明】
【００１７】
【図１】本発明に係るブライドの一例を示すもので、遮光状態を示す要部の平断面図である。
【図２】同、採光状態の一例を示す要部の平断面図である。
【図３】同、採光状態の他の例を示す要部の平断面図である。
【図４】同、スラットの平断面図である。
【発明を実施するための形態】
【００１８】
以下図面を参照して本発明の実施の形態について説明する。
図１〜図３は、本発明に係るブラインドの一例を示すもので、要部の平断面図である。また、図４は本発明に係るブラインドを構成するスラットの一例を示す平断面図である。
本実施の形態に係るブラインドは、縦型のブラインドであり、多数の縦型のスラット１・・・を横方向に並設することによって構成されている。なお、図１〜図３においては、スラット１を３つ横方向に並設した状態を示しているが、実際はスラット１は多数横方向に並設されている。
前記スラット１・・・は、図示しないハンガーレール内に移動可能に支持された複数のランナーからそれぞれ吊持されている。前記スラット１・・・はそれぞれ鉛直軸回りに回動可能に吊持されており、横方向に延在する連結部材２，２によって連結されている。スラット１・・・はそれぞれ連結部材２，２に回動可能に連結されており、これによって、スラット１・・・は同期して鉛直軸回りに回転可能となっている。なお、連結部材２，２は、スラット１の上端面側に配置され、上端面に突設された軸３が連結部材２，２に形成された穴に回転自在に挿入されている。
【００１９】
前記スラット１は、図４に示すように、遮音性および遮光性を有する第１層部５と、この第１層部５に設けられ、透光性および吸音性を有し、かつ前記第１層部５より厚い第２層部６とを備えている。また、第２層部６は、その表面から突出し、かつ、スラット１の長手方向（図４において紙面と直交する方向）に延在する突出部７を有している。
前記第２層部６は、断面矩形状に形成された第２層部本体８と、断面視において第２層部本体８の長手方向に沿う第１辺部８ａの一部から三角形状に突出する前記突出部７とを備えている。
前記第１層部５は、断面視において第２層部本体８の長手方向に沿う第２辺部８ｂに沿って形成された長片部５ａと、第２辺部８ｂと直交する短手方向に沿う第３辺部８ｃに沿って形成された短片部５ｂとからなる断面Ｌ型に形成されている。
前記突出部７は、断面視において、直角三角形状に形成されており、突出部７の互いに直角に交わる一方の辺部７ａが、前記第２層部本体８の短手方向に沿う第４辺部８ｄの延長線に沿って配置され、他方の辺部７ｂが、第２層部本体８の第１辺部８ａ上に配置されている。
【００２０】
前記第１層部５は、遮音性および遮光性のあるゴム系の材料や金属系の材料で形成されている。
また、前記第２層部６は、透光性および吸音性を有する材料で形成される。このような材料としては、例えば、細かい繊維で形成された繊維構造体が使用される。この繊維構造体は、高い空隙率、形態安定性を有しており、この空隙構造によって、音エネルギーを吸収できるとともに、空隙を通して光を透過させることができる。
そして、繊維構造体で形成された第２層部６の第２層部本体８の第２辺部８ｂと第３辺部８ｃに沿って、断面Ｌ型に第１層部５を形成することによって、第２層部６の形状を保持できるようになっている。
また、透光性および吸音性を有する他の材料として、例えば、ポリフッ化ビニルやポリフッ化エチレンなどのフッ素樹脂系フィルム、ポリエステル、ポリプロピレン、ポリ塩化ビニルなどの合成樹脂フィルムで構成された透明膜材料と、金属ワイヤメッシュ、エキスパンドメタル、パンチングメタルシートなどの金属製や樹脂製の網目板状材料、孔明き板状材料を積層して一体化した透光性吸音材が挙げられる。
【００２１】
前記スラット１・・・は、隣り合うスラット１，１どうしが重なっていない採光状態において、図３に示すように、一方のスラット１の突出部７が、他方のスラット１の第１層部５に当接する当接位置と、図２に示すように、一方のスラット１の突出部７が、他方のスラット１の第１層部５から離間している離間位置とのいずれか一方を選択可能に設けられている。
【００２２】
図３に示す採光状態では、一方のスラット１の突出部７の先端が、他方のスラット１の断面Ｌ型の第１層部５の長片部５ａの端部に当接している。これによって、全てのスラット１の第２層部６の側面６ａが面一となって大きな鉛直平面を形成し、この鉛直平面が外側を向いている。なお、左右に隣り合う側面６ａ，６ａ間には、第１層部５の長片部５ａの端面が介在している。
また、全てのスラット１の第１層部５の短片部５ｂは面一となるとともに、左右に所定間隔をもって配置されている。これら短辺部５ｂ・・・が室内側に向いている。
【００２３】
このような採光状態では、外部からの光は、スラット１の突出部７を透過したうえで、スラット１，１間の隙間から室内側に至る。また、スラット１の第２層部本体８を透過する光は、第１層部５の短片部５ｂによって遮光される。
さらに、外部からの騒音のうち、前記突出部７を通る騒音は、この突出部７によって一部が吸音され、吸音しきれなかった騒音の一部はスラット１，１間の隙間から室内側に至る。また、第２層部本体８を通る騒音は、第２層部本体８によって一部が吸音され、吸音しきれなかった騒音の一部は第１層部５の短片部５ｂによって遮音される。
また、一方のスラット１の突出部７の先端が、他方のスラット１の断面Ｌ型の第１層部５の長片部５ａの端部に当接しているので、外部からの風は遮断される。
このように、図３に示す採光状態では、適度に採光できるとともに、外部の騒音も適度に聞こえ、外部からの風を遮断できる。
【００２４】
また、図２に示す採光状態では、一方のスラット１の突出部７が、他方のスラット１の第１層部５の長片部５ａから離間しており、また、全てのスラット１の第２層部６の側面６ａが左右方向に対して傾斜しており、かつ、全てのスラット１の第１層部５の短片部５ｂが左右方向に対して傾斜している。
このような採光状態では、外部からの光は、スラット１，１間の隙間から室内側に至る。また、スラット１の突出部７および第２層部本体８を透過する光は、第１層部５によって遮光される。
さらに、外部からの騒音のうち、前記突出部７および第２層部本体８を通る騒音は、この突出部７および第２層部本体８によって一部が吸音され、吸音しきれなかった騒音は第１層部５によって遮音される。また、外部からの騒音のうち、スラット１，１間の隙間を通る騒音の一部は室内に至るが、残りは第２層部６によって吸音される。
また、外部からの風はスラット１，１間の隙間から室内側に至る、つまり通風できる。
このように、図２に示す採光状態では、適度に採光できるとともに、外部の騒音も適度に聞こえ、通風も確保できる。
【００２５】
また、前記スラット１・・・は、図１に示すように、隣り合う前記スラット１，１どうしが重なっている遮光状態において、隣り合うスラット１，１のうち、一方のスラット１の第１層部５の長片部５ａ一部が、他方のスラット１の第２層部６の突出部７がない部位、すなわち、第２層部本体８の第１辺部８ａに重なっている。
また、ブラインドの一方の面側（外側を向く面側）に、断面三角形状の突出部７・・・が連続して並設され、他方の面側（室内側を向く面側）に、断面Ｌ型の第１層部５の角部が連続して並設される。
【００２６】
このような遮光状態では、外部からの光は、スラット１の第２層部６を透過したうえで、第１層部５で遮光される。
また、外部からの騒音は、第２層部６によって一部が吸音され、吸音しきれなかった騒音の一部は第１層部５によって遮音される。
さらに、外部からの騒音は第２層部６によって一部が吸音されるとともに、突出部７によって拡散されたうえで、さらに、隣り合うスラット１の突出部７によって吸音される。
また、隣り合うスラット１，１どうしが重なっているので、外部からの風は遮断される。
このように、図１に示す遮光状態では、外部の光、騒音、風を全て遮断できる。
【００２７】
本実施の形態によれば、スラット１の第２層部６が、その表面から突出し、かつスラット１の長手方向に延在する突出部７を有しているので、外部からの騒音の一部は第２層部６によって吸音されるとともに、突出部７によって拡散されたうえで、さらに、隣り合うスラット１の突出部７に吸音される。また、第２層部６によって吸音しきれなかった騒音の一部は、第１層部５で遮音される。したがって、外部の騒音が内部に響くのを効果的に抑えることができる。
また、突出部７は第２層部６の表面の一部から突出するものであるので、第２層部全体が厚くなることがない。したがって、スラット１の重量がさほど増えることがない。
【００２８】
また、突出部７が断面三角形状に形成されているので、この突出部７の表面は交差する二つの表面によって構成される。したがって、第２層部６の表面積が大きくなるので、その分、吸音力が高くなるとともに、騒音が二つの表面によって異なる方向に拡散する。したがって、外部の騒音が内部に響くのをより効果的に抑えることができる。
さらに、隣り合うスラット１，１どうしが重なっていない採光状態において、一方のスラット１の突出部７が、他方のスラット１の第１層部５に当接する当接位置にある場合、隣り合うスラット１，１間からの通風を防止できるとともに、突出部７を有する第２層部６は透光性を有しているので、外部からの光が第２層部６を透過して内部に採光できる。  また、一方のスラット１の突出部７が、他方のスラット１の第１層部５から離間している離間位置にある場合、隣り合うスラット１，１間の隙間から通風をとることができるとともに、外部からの光がこの隙間、第２層部６を透過して内部に採光できる。
【００２９】
また、隣り合うスラット１，１のうち、一方のスラット１を構成する第２層部本体８の第２辺部８ｂに沿って形成された第１層部５の長片部５ａを、他方のスラット１を構成する第２層部本体８の第１辺部８ａに重ねることによって、ブラインドを容易に遮光状態とすることができる。
また、一方のスラット１を構成する第２層部本体８の第２辺部８ｂに沿って形成された第１層部５の長片部５ａと、他方のスラット１を構成する第２層部本体８とを離すことによって、ブラインドを容易に採光状態とすることができる。
また、前記遮光状態にすると、ブラインドの一方の面側に、断面三角形状の突出部７が連続して並設され、他方の面側に、断面Ｌ型の第１層部５の角部が連続して並設されるので、ブラインドの両面において、音を拡散させることができる。
【００３０】
さらに、隣り合うスラット１，１どうしが重なっている遮光状態において、隣り合うスラット１，１のうち、一方のスラット１の第１層部５の長片部５ａの一部が、他方のスラット１の第２層部本体８の第１辺部８ａに重なっているので、一方のスラット１の第１層部５と他方のスラットの第２層部６とを容易に隙間なく重ねることができる。
【００３１】
なお、本実施の形態では、ブラインドを、スラット１の第２層部６が外側を向くようにして配置したが、これとは逆に、スラット１の第２層部６が室内側を向くように配置してもよい。
このようにすれば、室内側に、吸音性を有する断面三角形状の突出部７が連続して設けられるので、効果的に吸音でき、よって室内を音響室として利用することができる。
また、本実施の形態では、本発明を、スラットが縦型の縦型のブラインドに適用した場合について説明したが、本発明は、スラットが横型の横型のブラインドに適用してもよいのは勿論である。
【符号の説明】
【００３２】
１  スラット
５  第１層部
５ａ  長片部
５ｂ  短片部
６  第２層部
７  突出部
８  第２層部本体
８ａ  第１辺部
８ｂ  第２辺部
８ｃ  第３辺部
８ｄ  第４辺部
【図１】
2010265617.tif 000003
【図２】
2010265617.tif 000004
【図３】
2010265617.tif 000005
【図４】
2010265617.tif 000006